(57)【要約】【課題】太陽光等の外部光や、表示器が発した光が、回路基板に照射される、ゴースト像が発生する虞がない表示装置を提供する。【解決手段】表示装置は、表示器２１と、回路基板２５と、表示器２１及び回路基板２５を収容したハウジング２６とを有する。遮蔽部材２４は、回路基板２５に光が照射されることを防ぐ。表示器２１は表示素子２７を有し、表示素子２７を駆動する駆動回路が回路基板２５に搭載されている。反射鏡２２は、表示器２１が発した表示光Ｌを反射させる。角度位置調整手段２３は、反射鏡２２の角度位置を調整する。角度位置調整手段２３はモータ３１を有し、モータ３１を駆動する駆動回路が回路基板２５に搭載されている。回路基板２５は、遮蔽部材２４に固定されている。遮蔽部材２４は、表示光Ｌが通過する開口部２４ｂを有する遮光壁２４ａを有する。【選択図】　図１
2004017708.tif 000002
【特許請求の範囲】
【請求項１】
表示器と、回路基板と、前記表示器及び前記回路基板を収容したハウジングとを有し、虚像を表示する表示装置であって、
前記回路基板に光が照射されることを防ぐ遮蔽部材を設けたことを特徴とする表示装置。
【請求項２】
前記表示器は表示素子を有し、前記表示素子を駆動する駆動回路が前記回路基板に搭載されていることを特徴とする請求項１に記載の表示装置。
【請求項３】
前記表示器が発した表示光を反射させる反射鏡と、前記反射鏡の角度位置を調整する角度位置調整手段と、を設けたことを特徴とする請求項１に記載の表示装置。
【請求項４】
前記角度位置調整手段はモータを有し、前記モータを駆動する駆動回路が前記回路基板に搭載されていることを特徴とする請求項３に記載の表示装置。
【請求項５】
前記回路基板は、前記遮蔽部材に固定されていることを特徴とする請求項１に記載の表示装置。
【請求項６】
前記表示器は、前記遮蔽部材に固定されていることを特徴とする請求項１に記載の表示装置。
【請求項７】
前記遮蔽部材は、前記表示器が発した表示光が通過する開口部を有する遮光壁を有することを特徴とする請求項１に記載の表示装置。
【発明の詳細な説明】
【０００１】
【発明の属する技術分野】
本発明は、表示器及び回路基板をハウジングに収容した表示装置に関するものである。
【０００２】
【従来の技術】
従来より、車両のダッシュボード１に配設された表示装置２が投射する表示光Ｌをフロントガラス３で運転者４の方向に反射させ、虚像Ｖを表示するヘッドアップディスプレイがある（図５参照）。表示装置２は、表示器５と反射鏡６とを有しており、この表示器５及び反射鏡６は、上側ケース体７と下側ケース体８とからなるハウジング９に収容されている（図６参照）。表示器５は、液晶表示素子１１及びバックライト１２有しており、車両速度等を表示する。表示器５が発した表示光Ｌは、反射鏡６で反射されて、フロントガラス３に投射される。運転者４は、虚像Ｖを風景に重畳させて視認できる。
【０００３】
上側ケース体７には表示光Ｌが出射する窓部７ａが形成されており、この窓部７ａには透明カバー１３が配設されている。下側ケース体８の底壁には、支持部８ａ，８ｂが突出形成されており、この支持部８ａ，８ｂに、反射鏡６を保持するホルダー１４と、表示器５とが夫々固定されている。また、下側ケース体８には、液晶表示素子１１を駆動する駆動回路等が搭載された回路基板１５が固定されている。液晶表示素子１１は、図示しない可撓性配線部材により回路基板１５に電気接続されている。
【０００４】
【発明が解決しようとする課題】
しかしながら、窓部７ａから入射した太陽光や、表示器５が下向きに発した光の一部Ｌ１が、回路基板１５の配線パターンで反射され、窓部７ａからフロントガラス３に映し出されてゴースト像が発生し、虚像Ｖの視認の妨げになるという問題があった。
本発明は、この問題に鑑みなされたものであり、太陽光等の外部光や、表示器が発した光が、回路基板に照射される虞がない表示装置を提供するものである。
【０００５】
【課題を解決するための手段】
本発明は、前記課題を解決するため、表示器２１と、回路基板２５と、前記表示器２１及び前記回路基板２５を収容したハウジング２６と、を有し、虚像を表示する表示装置であって、前記回路基板２５に光が照射されることを防ぐ遮蔽部材２４を設けたものである。
【０００６】
また、本発明は、前記表示器２１は表示素子２７を有し、前記表示素子２７を駆動する駆動回路４３が前記回路基板２５に搭載されているものである。
【０００７】
また、本発明は、前記表示器２１が発した表示光Ｌを反射させる反射鏡２２と、前記反射鏡２２の角度位置を調整する角度位置調整手段２３と、を設けたものである。
【０００８】
また、本発明は、前記角度位置調整手段２３はモータ３１を有し、前記モータ３１を駆動する駆動回路４５が前記回路基板２５に搭載されているものである。
【０００９】
また、本発明は、前記回路基板２５は、前記遮蔽部材２４に固定されているものである。
【００１０】
また、本発明は、前記遮蔽部材２４は、前記表示光Ｌが通過する開口部２４ｃを有する遮光壁２４ｂを有するものである。
【００１１】
【発明の実施の形態】
以下、添付の図面に基いて、本発明を車両用ヘッドアップディスプレイに応用した一実施形態を説明する。図１乃至図３は第一実施形態を示すものである。
表示装置２０は、液晶表示器２１（表示器），凹面鏡２２（反射鏡），駆動機構２３（角度位置調整手段），支持部材２４（遮蔽部材），回路基板２５及びハウジング２６を有している。
【００１２】
液晶表示器２１は、ＴＦＴ型の液晶表示素子２７（表示素子），リフレクタ２８，発光ダイオード２９及び硬質配線板３０を有している。複数の発光ダイオード２９は、互いに近接して配置されており、硬質配線板３０に接続されている（図２参照）。リフレクタ２８は、内側反射面２８ａを有する角筒状となっており、発光ダイオード２９と液晶表示素子２７の間に配置されている。
凹面鏡２２は、ポリカーボネート（ＰＣ）等の樹脂にアルミニウム（Ａｌ）を蒸着させ反射層を形成したものである。凹面鏡２２は、液晶表示器２１が発した表示光Ｌを車両のフロントガラスに投射する。
【００１３】
駆動機構２３は、ステッピングモータ３１（モータ），歯車３２及びミラーホルダ３３を有しており、凹面鏡２２を揺動させ、表示光Ｌの投射方向を調整する。ミラーホルダー３３は図示しない弾性係止片を有しており、この弾性係止片により凹面鏡２２を固定している。ミラーホルダ３３は、ＡＢＳ等の樹脂からなるものであり、軸部３３ａ及び歯車部３３ｂが一体に形成されている。軸部３３ａは図示しない軸受部に軸支されており、凹面鏡２２及びミラーホルダ３３は揺動可能に支持されている。歯車３２はステッピングモータ３１の回動軸に取付けられており、歯車部３３ｂと噛み合わされている。
【００１４】
支持部材２４はＡＢＳ等の樹脂からなるものであり、基部２４ａの上面側に液晶表示器２１及び駆動機構２３が固定されている。支持部材２４は液晶表示器２１から上向きに発せられた光Ｌ２を遮る遮光壁２４ｂを有しており、この遮光壁２４ｂには表示光Ｌが通過する開口部２４ｃが形成されている。支持部材２４には、反射率を低減するため、黒色塗装を施すことが望ましい。
回路基板２５は、ガラスエポキシ基板に銅箔からなる配線パターンを形成したものであり、基部２４ａの下面側にビスにより固定されている。回路基板２５には後述する駆動回路等が搭載されている。液晶表示器２１から下向きに発せられた光Ｌ１は基部２４ａに遮られるため、回路基板２５には照射されない。
【００１５】
ハウジング２６は、ＰＢＴ等の樹脂からなるものであり、上側ケース体３５及び下側ケース体３６を有している。上側ケース体３５には、表示光Ｌが出射する窓部３５ａが形成されており、この窓部３５ａには透光性カバー３７が配設されている。透光性カバー３７は透光性樹脂（例えばアクリル）からなるものであり、湾曲形状となっている。下側ケース体３６の底壁には支持部３６ａが突出形成されており、この支持部２６ａに支持部材２４が固定されている。
【００１６】
次に、図３に基づいて、表示装置の電気的構成について説明する。４０は速度センサであり、この速度センサ４０は車両速度を検出し、速度データを制御部４１に出力する。４２は押ボタンスイッチ等からなる操作手段であり、この操作手段４２は、ステッピングモータ３１を回動させ凹面鏡２２の角度位置を調整するための操作データを制御部４１に出力する。
【００１７】
制御部４１は、ＣＰＵ，ＲＡＭ，ＲＯＭ等から構成されるものであり、駆動回路４４を介して発光ダイオード２９を点灯させると共に、速度センサ４０から入力した速度データに基づいて、駆動回路４３を介して液晶表示素子２７に車両速度を表示させる。また、制御部４１は、操作手段４２から入力した操作データに基づいて、駆動回路４５を介してステッピングモータ３１を駆動する。制御部４１及び駆動回路４３，４４，４５は回路基板２４に搭載されている。
【００１８】
図４は第二実施形態を示す図である。第二実施形態は、反射鏡４７及びミラーホルダ４８が第一実施形態と相違するだけであるので、同一の箇所には同一の符号を付して、詳細な説明を省略する。
ミラーホルダ４８は支持部材２４の前面側に固定されている。反射鏡４７はミラーホルダ４８に両面粘着テープで貼着されている。反射鏡４７は、液晶表示器２１が発した表示光Ｌを車両のフロントガラスに投射する。
【００１９】
第一，第二実施形態によれば、窓部３５ａから入射した太陽光や、液晶表示器２１から下向きに発せられる光Ｌ１が回路基板２５に照射されることがなく、回路基板２５で反射された光がフロントガラスに投射されてゴースト像が発生する虞がない。また、液晶表示器２１から上向きに発せられた光Ｌ２は遮光壁２４ｂで遮られるため、窓部３５ａからフロントガラスに投射されてゴースト像が発生する虞がない。
【００２０】
なお、各実施形態の表示器は、液晶表示器２１あったが、例えば有機ＥＬパネルを用いた表示器であっても良い。また、各実施形態は、ヘッドアップディスプレイであったが、例えば虚像表示型コンビネーションメータにも応用できることは言うまでもない。
【００２１】
【発明の効果】
本発明は、表示器と、回路基板と、前記表示器及び前記回路基板を収容したハウジングと、を有する表示装置であって、前記回路基板に光が照射されることを防ぐ遮蔽部材を設けたものであり、太陽光等の外部光や、表示器が発した光が、回路基板に照射される虞がなく、ゴースト像が発生しない。
【図面の簡単な説明】
【図１】本発明の第一実施形態を示す表示装置の断面図。
【図２】同上実施形態を示す液晶表示器の断面図。
【図３】同上実施形態を示す表示装置のブロック図。
【図４】本発明の第二実施形態を示す表示装置の断面図。
【図５】従来例を示すヘッドアップディスプレイの概略構成図。
【図６】同上従来例を示す表示装置の断面図。
【符号の説明】
２１　　液晶表示器（表示器）
２２　　凹面鏡（反射鏡）
２３　　駆動機構（角度位置調整手段）
２４　　支持部材（遮蔽部材）
２４ａ　遮光壁
２４ｂ　開口部
２５　　回路基板
２６　　ハウジング
２７　　液晶表示素子（表示素子）
３１　　ステッピングモータ（モータ）
４３　　駆動回路
４５　　駆動回路
【図１】
2004017708.tif 000003
【図２】
2004017708.tif 000004
【図３】
2004017708.tif 000005
【図４】
2004017708.tif 000006
【図５】
2004017708.tif 000007
【図６】
2004017708.tif 000008